(57)【要約】 【課題】  水平構造スリット材等の設置を簡略的に行うことで作業効率を向上させ、工期の短縮を図ることができる水平スリットユニット及び耐震構造の施工方法を提供することを目的としている。【解決手段】  梁１壁２間或いはスラブ壁間に介在された水平構造スリット材４と、水平構造スリット材４に貫設されているとともに一端が梁１或いはスラブ内に埋設され他端が壁２に埋設されたつなぎ材５とが備えられ、水平構造スリット材４及びつなぎ材５が一体にユニット化されている。【選択図】      図１
2006037345.tif 000002
【特許請求の範囲】
【請求項１】
梁壁間或いはスラブ壁間に介在された水平構造スリット材と、該水平構造スリット材に貫設されているとともに一端が前記梁或いはスラブ内に埋設され他端が前記壁に埋設されたつなぎ材とが備えられ、前記水平構造スリット材及びつなぎ材が一体にユニット化されていることを特徴とする水平スリットユニット。
【請求項２】
請求項１記載の水平スリットユニットにおいて、
前記水平構造スリット材に突設されているとともに、前記壁の縦筋の端部が挿入されて該縦筋を所定位置に保持するキャップ材が備えられていることを特徴とする水平スリットユニット。
【請求項３】
請求項１または２記載の水平スリットユニットを用いた耐震構造の施工方法であって、
前記梁或いはスラブのコンクリート打設前に、前記つなぎ材の下端部が前記梁或いはスラブ内に埋設されるとともに前記水平構造スリット材が前記梁或いはスラブの上面と略面一になるように前記水平スリットユニットを配置する工程と、
前記梁或いはスラブのコンクリートを打設する工程と、
前記水平構造スリット材の上方に前記壁の鉄筋を配筋する工程とを備えることを特徴とする耐震構造の施工方法。
【発明の詳細な説明】
【技術分野】
【０００１】
本発明は、地震等による横揺れが生じた場合に壁梁間或いは壁スラブ間の損傷を防ぐ水平スリットユニット、及びその水平スリットユニットを用いた耐震構造の施工方法に関する。
【背景技術】
【０００２】
一般に、地震等による横揺れが生じた場合に壁梁間或いは壁スラブ間の損傷を防ぐ耐震構造として、ポリエチレン発泡体等からなる帯板状の水平構造スリット材を壁梁間或いは壁スラブ間に介在させ、壁梁間等を完全に縁切り、或いは断面欠陥させる構造が多く用いられている。水平構造スリット材の裏面には帯状の粘着テープが水平構造スリット材の軸方向に沿って付着されており、この粘着テープによって水平構造スリット材は梁或いはスラブのコンクリート面に貼着される。水平構造スリット材を設置する際、壁梁間等をつなぐダボ筋（つなぎ材）やダボ筋に巻かれる発泡体（緩衝材）を併せて設ける場合が多い。ダボ筋は、水平構造スリット材の中央部分に貫通して設けられ、水平構造スリット材の軸方向に沿って複数配設される。また、ダボ筋の下端部は、梁或いはスラブ内に埋設され、上端部は、壁内に埋設される。発泡体は、円筒形状に形成されており、壁内に埋設されたダボ筋上端部に巻かれる（例えば、特許文献１参照。）。
【０００３】
従来、上記した構成からなる耐震構造を施工する場合、次のような方法で施工されている。まず、梁やスラブのコンクリート打設前に、ダボ筋上端部が梁或いはスラブの上面から突出するようにダボ筋を配筋する。次に、梁等のコンクリートを打設し、ダボ筋の下端部をコンクリート内に定着させる。そして、コンクリートの固化後に、水平構造スリット材を突出したダボ筋の上端部に貫通させつつ梁等の上面に配置する。このとき、水平構造スリット材の裏面に付設された粘着テープによって、水平構造スリット材を梁等のコンクリート面に貼着して密着させる。また、突出したダボ筋上端部に発泡体を取り付ける。そして、水平構造スリット材の上方に壁筋を配筋し、壁筋の周りに型枠を建て込んで該型枠内にコンクリートを打設し、梁等と壁との間に水平構造スリット材が設けられた耐震構造を形成する。
【特許文献１】特開２００３−３２１９４６号公報
【発明の開示】
【発明が解決しようとする課題】
【０００４】
しかしながら、上記した従来の耐震構造の施工方法では、ダボ筋や壁筋の配筋と水平構造スリット材等の設置とは別業者が行うため、ダボ筋の配筋から壁筋の配筋までの作業の過程で異業種が錯綜するとともに、コンクリート打設後の壁配筋前に水平構造スリット材や発泡体を配置する工程が加わるという問題が存在する。つまり、まず、ダボ筋の配筋を鉄筋業者が行い、その後梁等のコンクリート打設を打設業者が行い、コンクリート固化後に水平構造スリット材等の設置を別業者が行い、その後壁筋の配筋を鉄筋業者が行うこととなるため、コンクリート打設後の工程が増えるとともに異業種が錯綜する。したがって、作業効率が低下し、工期遅延の要因になる。
【０００５】
また、水平構造スリット材を梁等のコンクリート面に密着した状態で貼着させるため、梁等のコンクリート打設後に、突出されたダボ筋周辺のコンクリート面を鏝均して、水平構造スリット材が配置される面を平滑にしなければならないが、突出したダボ筋を避けてコンクリート面を平滑に均す作業は難しいという問題が存在する。したがって、水平構造スリット材とコンクリート面とを完全に密着させることができない場合が生じる。
【０００６】
また、壁の縦筋は、水平方向の被り厚さを確保するために壁面との間に適当な距離をあけて配筋される必要があるとともに、鉛直方向の被り厚さを確保するために水平構造スリット材との間に適当な距離をあけて配筋される必要がある。したがって、水平構造スリット材の上方に配筋される縦筋は、適当な位置に建てられているとともに、浮かせた状態で配筋されていなければならないが、縦筋を浮かせた状態で壁筋を配筋することは難しいという問題が存在する。
【０００７】
本発明は、上記した従来の問題が考慮されたものであり、水平構造スリット材等の設置を簡略的に行うことで作業効率を向上させ、工期の短縮を図ることができる水平スリットユニット及び耐震構造の施工方法を提供することを目的としている。また、水平構造スリット材に貼着されるコンクリート面の鏝均しを行わずに、水平構造スリット材とコンクリート面とを完全に密着させることができる水平スリットユニット及び耐震構造の施工方法を提供することを目的としている。さらには、水平鉛直方向の被り厚さがそれぞれ確保された正規の位置に、縦筋を容易に配筋することができる水平スリットユニット及び耐震構造の施工方法を提供することを目的としている。
【課題を解決するための手段】
【０００８】
請求項１記載の発明は、梁壁間或いはスラブ壁間に介在された水平構造スリット材と、該水平構造スリット材に貫設されているとともに一端が前記梁或いはスラブ内に埋設され他端が前記壁に埋設されたつなぎ材とが備えられ、前記水平構造スリット材及びつなぎ材が一体にユニット化されていることを特徴としている。
【０００９】
このような特徴により、水平構造スリット材及びつなぎ材は、一遍にまとめて梁壁間或いはスラブ壁間に設置される。また、水平構造スリット材に対するつなぎ材の位置は固定され、つなぎ材が乱れることはない。
【００１０】
請求項２記載の発明は、請求項１記載の水平スリットユニットにおいて、前記水平構造スリット材に突設されているとともに、前記壁の縦筋の端部が挿入されて該縦筋を所定位置に保持するキャップ材が備えられていることを特徴としている。
【００１１】
このような特徴により、壁筋配筋の際、縦筋の端部をキャップ材内に挿入するだけで、縦筋は所定位置に位置決めされるとともに保持される。
【００１２】
請求項３記載の発明は、請求項１または２記載の水平スリットユニットを用いた耐震構造の施工方法であって、前記梁或いはスラブのコンクリート打設前に、前記つなぎ材の下端部が前記梁或いはスラブ内に埋設されるとともに前記水平構造スリット材が前記梁或いはスラブの上面と略面一になるように前記水平スリットユニットを配置する工程と、前記梁或いはスラブのコンクリートを打設する工程と、前記水平構造スリット材の上方に前記壁の鉄筋を配筋する工程とを備えることを特徴としている。
【００１３】
このような特徴により、梁或いはスラブのコンクリート打設前に水平スリットユニットを所定位置に配置することで、水平構造スリット材及びつなぎ材は所定の位置に一遍に設置される。また、水平構造スリット材が梁或いはスラブの上面と略面一になるように水平スリットユニットを配置した後に、梁等のコンクリートは打設されるため、水平構造スリット材に対向するコンクリート面を鏝均しせずに、水平構造スリット材とコンクリートとが密着される。
【発明の効果】
【００１４】
本発明に係る請求項１記載の水平スリットユニットによれば、水平構造スリット材とつなぎ材とが一体にユニット化されており、水平構造スリット材及びつなぎ材は、一遍にまとめて梁壁間或いはスラブ壁間に設置されるため、水平構造スリット材等の設置は簡略的になって作業効率は向上し、工期の短縮を図ることができる。また、水平構造スリット材とつなぎ材とが一体にユニット化されており、水平構造スリット材に対するつなぎ材の位置は固定され、つなぎ材が乱れることはないため、つなぎ材を常に正規の位置に配筋させることができる。
【００１５】
また、請求項２記載の水平スリットユニットによれば、壁の縦筋の端部が挿入されて縦筋を所定位置に保持するキャップ材が備えられており、壁筋配筋の際、縦筋の端部をキャップ材内に差し込むだけで、縦筋は所定位置に位置決めされるとともに保持されるため、縦筋の被り厚さは、水平構造スリット材方向（鉛直方向）及び壁面方向（水平方向）ともに確実に確保することができ、壁筋を正規の位置に容易に配筋することができる。
【００１６】
また、請求項３記載の耐震構造の施工方法によれば、梁或いはスラブのコンクリート打設前に水平スリットユニットを所定位置に配置することで、水平構造スリット材及びつなぎ材は所定の位置に一遍に設置されるため、水平構造スリット材等の設置作業は簡略的になり、作業効率が向上して工期の短縮を図ることができる。また、水平構造スリット材が梁或いはスラブの上面と略面一になるように水平スリットユニットを配置した後に、梁等のコンクリートは打設されており、水平構造スリット材に対向するコンクリート面を鏝均しせずに水平構造スリット材とコンクリートとが密着されるため、水平構造スリット材とコンクリートとを容易且つ確実に密着させることができる。
【発明を実施するための最良の形態】
【００１７】
以下、本発明に係る水平スリットユニット及び耐震構造の施工方法の実施の形態について、図面に基いて説明する。
【００１８】
図１は、構造物の梁壁間を表す部分断面図であって、本発明に係る耐震構造を表す断面図である。図１に示すように、ＲＣ造（鉄筋コンクリート造）若しくはＳＲＣ造（鉄骨鉄筋コンクリート造）からなる梁１の上には、ＲＣ造（鉄筋コンクリート造）からなる非構造壁（以下、単に壁２と記す。）が立設されている。壁２の耐震構造は、梁１と壁２との間に水平スリットユニット３を設けて梁１壁２間を縁切りした構成からなっている。
【００１９】
図２は水平スリットユニット３を表す斜視図である。図１，図２に示すように、水平スリットユニット３は、梁１壁２間に介在された水平構造スリット材４と、水平構造スリット材４の略中央部に略垂直に貫設されたつなぎ材５と、つなぎ材５の上端部を被覆する緩衝材６と、ダブルで配筋された壁２の縦筋８端部がそれぞれ挿入されたキャップ材７とから構成されている。水平構造スリット材４，つなぎ材５，緩衝材６及びキャップ材７は、一体にユニット化されており、一組当りの水平スリットユニット３の長さは約１．２ｍから２ｍ程度である。
【００２０】
水平構造スリット材４は、例えばポリエチレン発泡体等からなる厚さ数センチ程度の帯板状の水平完全スリット材である。水平構造スリット材４の幅は、壁２の厚さに対応して決定され、壁２下端部に形成される目地９の分だけ壁２の厚さよりも狭くなっている。
【００２１】
つなぎ材５は、例えば異形棒鋼などからなる棒状のものであり、水平構造スリット材４に対して略垂直に接合されている。つなぎ材５の下端部は水平構造スリット材４の下面から突出して梁１内に埋設されており、上端部は水平構造スリット材４の上面から突出して壁２に埋設されている。つなぎ材５の下端部は、梁１のコンクリート１７内に十分に定着される程度の長さを有しており、梁１の梁筋１０に差し込まれて隣接するスタラップ筋１０ａに上下２箇所で結束されている。また、つなぎ材５の下端部には、例えばエポキシ樹脂等の塗装が施されている。つなぎ材５の上端部は、壁２内に２００ｍｍ程度差し込まれる長さを有している。つなぎ材５は、水平構造スリット材４の長尺方向に一定間隔Ｌ１をあけて複数１列に配設されており、複数のつなぎ材５同士は、水平構造スリット材４と平行に延在する段取り筋１１をつなぎ材５の下端部にそれぞれ結束することによって繋がれている。
【００２２】
緩衝材６は、例えばポリエチレン発泡体等からなる円筒状のものであり、つなぎ材５の他端部と壁２のコンクリートとの間に介在されるものである。この緩衝材６は、つなぎ材５の上端部全体にわたって被覆されており、つなぎ材５と壁２のコンクリートとは、緩衝材６によって完全に縁切りされている。
【００２３】
図３は、キャップ材７を表す断面詳細図である。図１，図２，図３に示すように、キャップ材７は、縦筋８を所定位置に保持するものであり、円筒体１２の底に円形の底板１３が形成されてなるプラスチック製又はゴム製のものである。キャップ材７と水平構造スリット材４とは接着剤１５を介して接着されており、キャップ材７は水平構造スリット材４の上面に複数突設されている。複数のキャップ材７は、ダブルで配筋された縦筋８に対応して２列に並設されているとともに、水平構造スリット材４の長尺方向に縦筋８のピッチＬ２と同ピッチで配設されている。
【００２４】
また、キャップ材７は、壁２の壁面２ａから所定の水平距離ｄ１だけ内方に入った位置に配置されている。水平距離ｄ１は、縦筋８の壁面２ａ方向（水平方向）の正規の被り厚さｄ２に縦筋８の径ｄ３の半分を足した距離であり、例えば、縦筋８がＤ１０であって水平方向の正規の被り厚さが３０ｍｍである場合、壁２の壁面２ａから３５ｍｍ内方に入った位置がキャップ材７の中心位置となる。
【００２５】
図３に示すように、キャップ材７の円筒体１２の内径ｄ５は、縦筋８の径ｄ３よりも若干大きく形成されており、例えば縦筋８がＤ１０の場合、キャップ材７の内径はφ１５ｍｍ程度に形成される。この円筒体１２の中には、半分位までモルタル１６が中詰めされており、モルタル１６の上端面は縦筋８を支持する支持面１４となり、縦筋８の下端面はモルタル１６の上端面（支持面１４）に当接される。また、支持面１４より上方の円筒体１２上部は、縦筋８下端部が嵌入されるように中空に形成されており、嵌入されて建てられた縦筋８が倒れないように保持するのに十分なだけ（例えば３０ｍｍ程度）の高さがある。支持面１４の高さは、水平構造スリット材４の上面から所定の鉛直距離（鉛直方向の正規の被り厚さｄ４）だけ上方に離れた高さであり、縦筋８は水平構造スリット材４の上面から正規の被り厚さｄ４だけ浮かされた状態で支持されている。また、キャップ材７の底板１３は、キャップ材７を水平構造スリット材４の上面に安定して立設させるため、円筒体１２の外径よりも大きく形成され、円筒体１２の下端部から鍔状に張り出されている。
【００２６】
次に、上記した構成からなる水平スリットユニット３を用いた耐震構造の施工方法について説明する。
【００２７】
まず、梁１の梁筋１０を配筋した後に、水平スリットユニット３を配置する工程を行う。具体的には、まず、１枚の水平構造スリット材４の下面から突出する複数のつなぎ材５下端部に、１本の段取り筋１１をつなぎ材５に直交する方向に配筋し、段取り筋１１と複数のつなぎ材５下端部とをそれぞれ結束して複数のつなぎ材５同士を互いに繋ぎ合せる。次に、つなぎ材５の下端部が梁１内に埋設されるように水平スリットユニット３を梁筋１０に差し込み、水平構造スリット材４の下面が梁１の上面と面一になるように水平スリットユニット３の高さ調節するとともに、水平構造スリット材４が壁２内に納まるように水平スリットユニット３の水平方向の位置合わせを行って水平スリットユニット３を配置し、つなぎ材５の下端部を隣接するスタラップ筋１０ａに上下２箇所でそれぞれ結束する。
【００２８】
次に、梁１、及び梁１に接合されるスラブ１８のコンクリート１７を打設する工程を行う。具体的には、まず、水平スリットユニット３の側方に、水平スリットユニット３と平行に延在して目地９を形成するための図示せぬ目地棒を、上面が水平構造スリット材４の下面と略面一になるように配置して仮固定しておく。そして、水平構造スリット材４の下面レベルまで梁１のコンクリート１７を打設して梁１の上面と水平構造スリット材４の下面とを密着させるとともに、目地棒の下面レベルまでスラブ１８のコンクリート１７を打設してスラブ１８の上面を梁１の上面よりも若干下げた状態に形成する。
【００２９】
次に、梁１及びスラブ１８のコンクリート１７の固化後、水平構造スリット材４の上方に壁２の壁筋１９を配筋する工程を行う。具体的には、水平構造スリット材４上面に付設された複数のキャップ材７の中に縦筋８の下端部をそれぞれ差し込んでいき、複数の縦筋８を配筋していく。そして、建てられた縦筋８に直交させて複数の横筋２０をそれぞれ配筋し、縦筋８に結束させて壁筋１９を組み上げる。
最後に、壁筋１９を挟み込むように図示せぬ壁型枠を建て込み、上階の梁やスラブとともに壁２のコンクリート２１を打設して壁２を形成する。
【００３０】
上記した構成からなる水平スリットユニット３によれば、水平構造スリット材４とつなぎ材５と緩衝材６とキャップ材７とが一体にユニット化されているため、水平構造スリット材４，つなぎ材５，緩衝材６及びキャップ材７は、一遍にまとめて梁１壁２間に設置される。これによって、水平構造スリット材４等の設置は簡略的になって作業効率は向上し、工期の短縮を図ることができる。また、差し込む位置を決めれば、鉄筋業者でなくても施工できる。
【００３１】
また、水平構造スリット材４とつなぎ材５と緩衝材６とキャップ材７とが一体にユニット化されているため、水平構造スリット材４に対するつなぎ材５の位置は固定され、つなぎ材５の配筋が乱れることはない。したがって、常につなぎ材５を水平構造スリット材４の中央部を貫通する位置に垂直に配筋することができる。
【００３２】
また、壁２の縦筋８の端部が挿入されて縦筋８を所定位置に保持するキャップ材７が備えられているため、壁筋１９を配筋の際、縦筋８の端部をキャップ材７内に差し込むだけで、縦筋８は所定位置に位置決めされるとともに保持される。これによって、縦筋８の被り厚さは、鉛直方向及び水平方向ともに確実に確保することができ、壁筋１９を正規の位置に容易に配筋することができる。
【００３３】
また、上記した構成からなる耐震構造の施工方法によれば、梁１のコンクリート１７を打設する前に、水平スリットユニット３を所定位置に配置して水平構造スリット材４等を所定の位置に一遍に設置しているため、水平構造スリット材４等の設置作業は簡略的になって作業効率は向上し、工期の短縮を図ることができる。
【００３４】
また、水平構造スリット材４が梁１の上面と略面一になるように水平スリットユニット３を配置した後に、梁１のコンクリート１７が打設されているため、水平構造スリット材４の下面に対向するコンクリート１７の上面を鏝均しせずに、水平構造スリット材４とコンクリート１７とは密着される。よって、水平構造スリット材４とコンクリート１７とを容易且つ確実に密着させることができる。
【００３５】
以上、本発明に係る水平スリットユニット及び耐震構造の施工方法の実施の形態について説明したが、本発明は上記した実施の形態に限定されるものではなく、その趣旨を逸脱しない範囲で適宜変更可能である。例えば、上記した実施の形態では、壁２が梁１上に形成されており、水平スリットユニット３が梁１と壁２との間に設置されているが、本発明は、壁がスラブ上に形成されており、水平スリットユニットが梁とスラブとの間に設置されていてもよい。この場合、つなぎ材の下端部は、スラブ筋内に差し込まれるとともにＬ状に屈曲させてスラブ内に定着させてもよい。
【００３６】
また、上記した実施の形態では、壁筋１９がダブル配筋であり、キャップ材７は２列に並べられているが、本発明は、壁筋がシングル配筋の場合には、キャップ材を１列に並べてもよく、キャップ材は縦筋の配筋位置に応じた箇所に設ければよい。また、上記した実施の形態では、全ての縦筋８の下端部が挿入されるキャップ材７が設けられているが、本発明は、例えば、キャップ材を全ての縦筋毎に設けずに一つおきに設けてもよく、全縦筋のうち幾つかの縦筋の下端部を挿入させるキャップ材のみを設けてもよい。この場合、まず、キャップ材に縦筋を差し込み、この縦筋に直交する横筋を配筋して当該縦筋に結束し、その後残りの縦筋を横筋に結束することで、キャップ材に差し込まれない縦筋も浮かして配筋することができる。
【００３７】
また、上記した実施の形態では、キャップ材７の円筒体１２内にモルタル１６が詰められており、円筒体１２内に挿入された縦筋８をモルタル１６の上面（支持面１４）で支持することで縦筋８の鉛直方向の被り厚さが確保されているが、本発明は、円筒体内にモルタルを中詰めせずに、底上げされた円筒体からなるキャップ材を使用し、縦筋を円筒体の底面に支持させてもよく、或いは縦筋が挿入される円筒体の穴が中間部付近で窄められたキャップ材を使用し、縦筋を窄められたテーパー面で支持させてもよい。
【００３８】
また、上記した実施の形態では、つなぎ材５の上端部の全体にわたって緩衝材６が被覆されているが、本発明は、つなぎ材の上端部の一部のみに緩衝材が被覆されている場合でもよく、或いはつなぎ材の上端部に緩衝材が被覆されていなくてもよい。
また、上記した実施の形態では、水平構造スリット材４は、完全スリット型のスリット材であるが、本発明は、水平構造スリット材が部分スリット型（断面欠損型）のスリット材であってもよい。
【図面の簡単な説明】
【００３９】
【図１】本発明に係る水平スリットユニットおよび耐震構造の施工方法の実施の形態を説明するための断面図である。
【図２】本発明に係る水平スリットユニットおよび耐震構造の施工方法の実施の形態を説明するための水平スリットユニットの斜視図である。
【図３】本発明に係る水平スリットユニットおよび耐震構造の施工方法の実施の形態を説明するためのキャップ材の断面図である。
【符号の説明】
【００４０】
１  梁
２  壁
３  水平スリットユニット
４  水平構造スリット材
５  つなぎ材
７  キャップ材
８  縦筋
【図１】
2006037345.tif 000003
【図２】
2006037345.tif 000004
【図３】
2006037345.tif 000005